(57)【特許請求の範囲】
【請求項１】
前面が開放されている箱状の洗浄機本体と、この洗浄機本体内に収容された収容位置と引出された引出位置との間でスライド可能であるとともに上部が開口している洗浄槽と、洗浄槽内の水を循環させるとともに洗浄機本体からの距離と洗浄槽からの距離の両者が伸縮可能な状態に洗浄機本体または洗浄槽によって支持されている洗浄ポンプと、洗浄槽と洗浄ポンプの間に配置されている弾性体とを備え、
その弾性体は、洗浄槽が収容位置にあるときに圧縮され、洗浄槽と洗浄ポンプを離反させる側に付勢していることを特徴とする引出式食器洗浄機。
【請求項２】
洗浄ポンプが、洗浄槽背面において洗浄槽からの距離が変位可能に取付けられていることを特徴とする請求項１に記載の引出式食器洗浄機。
【請求項３】
洗浄機本体には本体側レールが固定され、洗浄槽には洗浄槽側レールが固定され、洗浄ポンプは洗浄槽側レールと独立して本体側レールによって案内されることを特徴とする請求項１に記載の引出式食器洗浄機。
【請求項４】
洗浄機本体には洗浄槽案内用の本体側レールと、洗浄ポンプ案内用の本体側レールが固定され、洗浄槽は洗浄槽案内用の本体側レールに案内され、洗浄ポンプは洗浄ポンプ案内用の本体側レールに案内されることを特徴とする請求項１に記載の引出式食器洗浄機。
【請求項５】
洗浄槽内の水を排水する排水ポンプを備え、洗浄槽と排水ポンプ間の距離が伸縮可能であることを特徴とする請求項１から４のいずれかに記載の引出式食器洗浄機。
【請求項６】
前面が開放されている箱状の洗浄機本体と、この洗浄機本体内に収容された収容位置と引出された引出位置との間でスライド可能であるとともに上部が開口している洗浄槽と、洗浄槽内の水を循環させるとともに洗浄機本体からの距離と洗浄槽からの距離の両者が伸縮可能な状態に洗浄機本体または洗浄槽によって支持されている洗浄ポンプと、洗浄槽と洗浄ポンプの間に配置されている弾性体とを備えており、
その弾性体は、洗浄槽が収容位置にあるときに、洗浄槽と洗浄ポンプを離反させる側に付勢しており、
収容位置では洗浄槽背面に洗浄ポンプが接近し、引出位置では洗浄槽背面から洗浄ポンプが離反することを特徴とする引出式食器洗浄機。
【請求項７】
「洗浄機本体には本体側レールが固定され、洗浄槽は本体側レールによって案内され、本体側レールの前端部にはローラが回転自在に固定されており、洗浄ポンプは洗浄槽によって支持されており、引出位置における洗浄ポンプの重心がローラよりも後方に留まることを特徴とする請求項６に記載の引出式食器洗浄機。
【発明の詳細な説明】
【０００１】
【発明の属する技術分野】
本発明は、食器を洗浄する食器洗浄機に関する。特に、洗浄槽が洗浄機本体から引出される引出タイプの食器洗浄機に関する。
【０００２】
【従来の技術】
従来の引出式食器洗浄機を、図１と図２を参照して説明する。図１と図２に示されているように、洗浄機本体１００は箱状であって、前面（図１と図２の左側。これに対し、右側を後側とする）が開放されている。洗浄機本体１００の左右両側面内側には、左右一対の本体側レール１０４が前後方向に固定されている。本体側レール１０４の前端部には、本体側ローラ１０３が回転自在に固定されている。
洗浄槽１０８は、上部が開放された箱状であり、左右両側面外側には、左右一対の洗浄槽本体側レール１０７が前後方向に固定されている。洗浄槽側レール１０７の後端部には、洗浄槽側ローラ１０６が回転自在に固定されている。
洗浄槽側レール１０７は、本体側ローラ１０３と洗浄槽側ローラ１０６によって、本体側レール１０４に案内されて前後方向にスライドすることができる。この結果、洗浄槽１０８は洗浄機本体１００に対して前後方向にスライドすることができる。
図１は、洗浄槽１０８が洗浄機本体１００に収納された収容位置での概略側面図（洗浄機本体の側板を除去して示す）であり、図２は、洗浄槽１０８が洗浄機本体１００から引出された引出位置での概略側面図である。
食器洗浄機１１５の使用者は、引出位置に引出された洗浄槽１０８の上部開放部から食器（図示省略）を出し入れする。
洗浄槽１０８の背面にポンプ１１１が固定されている。ポンプ１１１は吸込通路１１３と吐出通路１１２によって洗浄槽１０８と連通している。ポンプ１１１は洗浄槽１０８内の水を吸込通路１１３から吸込み、その水を加圧し、加圧された水を吐出通路１１２を介して洗浄槽１０８内に噴射する。
【０００３】
図２に示す引出位置では、本体側ローラ１０３と洗浄槽側ローラ１０６間距離が接近し、洗浄槽１０８は本体側ローラ１０３を中心にして半時計回転方向に回転しようとする。このとき、ポンプ１１１の重量まで本体側ローラ１０３を中心とする半時計回転方向のモーメントとなると、半時計回転方向の合計モーメントが過大となり、レールやローラに無理がかかって耐久性が低下する。
そこで、引出位置まで引出されてもなおポンプ重心位置が本体側ローラ１０３よりも後方に留まり、ポンプ１１１の重量が半時計回転方向のモーメントとならないようにしている。
【０００４】
【発明が解決しようとする課題】
従来の食器洗浄機では、洗浄槽１０８が引出位置まで引出されても、ポンプ１１１の重心位置が本体側ローラ１０３よりも後方に留まる関係におかれている。このために、洗浄槽１０８を洗浄機本体１００から充分に引出せず、洗浄槽１０８の上部開放部の一部が洗浄機本体１１５の内部に留まっている状態で引出位置となる。このため、使用者が食器を出し入れするために利用できる洗浄槽１０８上部開放部が狭くなっている。
【０００５】
したがって、洗浄槽１０８を洗浄機本体１００からほぼ完全に引出せる食器洗浄機が望まれている。
従来の食器洗浄機で、洗浄槽１０８を洗浄機本体１００からほぼ完全に引出せるようにすると、洗浄槽１０８に固定されている洗浄ポンプ１１１まで引出されることから、ポンプ１１１の重心位置が本体側ローラ１０３よりも前方に引出され、ポンプ１１１の重量が半時計回転方向のモーメントとなり、レールやローラに無理がかかって耐久性が低下してしまう。
洗浄槽１０８を洗浄機本体１００からほぼ完全に引出せ、それでいて、ポンプ１１１の重心位置が本体側ローラ１０３よりも前方に引出されないようにするためには、ポンプ１１１を洗浄槽１０８後方により離して固定する必要がある。しかしながら、ポンプ１１１と洗浄槽１０８を離して固定すると、ポンプ１１１と洗浄槽１０８の間に余分なスペースが生じる。このため、洗浄槽１０８を従来と同じサイズに保つとすると、洗浄機本体１００の奥行きを大きくしなければならず、洗浄機本体１１０の奥行きを従来と同じサイズに保つと、洗浄槽１０８を小型化する必要がある。
このように、ポンプ１１１と洗浄槽１０８に固定する構造では、（１）洗浄槽１０８を洗浄機本体１００から充分に引出せない、（２）洗浄ポンプ１１１の重心位置が本体側ローラ１０３よりも前方に引出されてしまう、あるいは（３）洗浄槽１０８を小型化する必要があるという技術的制約を受ける。
【０００６】
本発明は、上述した事情に鑑みてなされたものであり、（１）洗浄槽を洗浄機本体から充分に引出せる、（２）洗浄ポンプの重心位置は本体側ローラよりも後方に留まる、さらに（３）洗浄槽を小型化する必要がない、という食器洗浄機を実現することを目的とする。
【０００７】
【課題を解決するための手段、作用及び効果】
請求項１に記載の引出式食器洗浄機は、前面が開放されている箱状の洗浄機本体と、この洗浄機本体内に収容された収容位置と引出された引出位置との間でスライド可能であるとともに上部が開口している洗浄槽と、洗浄槽内の水を循環させるとともに洗浄機本体からの距離と洗浄槽からの距離の両者が伸縮可能な状態に洗浄機本体または洗浄槽によって支持されている洗浄ポンプと、洗浄槽と洗浄ポンプを離反させておく弾性体とを備えている。
本発明の引出式食器洗浄機は、洗浄機本体からの距離と洗浄槽からの距離の両者が伸縮可能な状態に洗浄機本体または洗浄槽によって支持されている洗浄ポンプと、洗浄槽と洗浄ポンプを離反させておく弾性体を備えている。洗浄機本体と洗浄ポンプ間の距離と洗浄槽と洗浄ポンプ間の距離の両者が伸縮可能であるために、収容位置では、弾性体が圧縮されて洗浄槽と洗浄ポンプ間の距離を縮めることによって、奥行きの短い洗浄機本体内に大きな洗浄槽を収容することができる。一方、引出位置では、弾性体の反発力で洗浄槽と洗浄ポンプ間の距離を離すことによって、洗浄ポンプの重心位置が本体側ローラよりも後方に留まった状態で洗浄槽を洗浄機本体から充分に引出すことができる。
【０００８】
洗浄ポンプを洗浄槽に固定せず、洗浄槽と洗浄ポンプ間の距離を伸縮可能とする１つの好ましい構成は、洗浄ポンプを洗浄槽背面において洗浄槽からの距離が変位可能に取付けることである。
あるいは、洗浄機本体には本体側レールが固定され、洗浄槽には洗浄槽側レールが固定され、洗浄ポンプは洗浄槽側レールと独立して本体側レールによって案内される構成とすることもできる。
さらには、洗浄機本体には洗浄槽案内用の本体側レールと洗浄ポンプ案内用の本体側レールが固定され、洗浄槽は洗浄槽案内用の本体側レールに案内され、洗浄ポンプは洗浄ポンプ案内用の本体側レールに案内される構成とすることもできる。
上記の構成を備えていると、洗浄機本体からの距離と洗浄槽からの距離の両者が伸縮可能な状態で洗浄ポンプを支持しておくことができる。
洗浄ポンプとは別に洗浄槽内の水を排水する排水ポンプを備えている場合には、洗浄ポンプのみならず、排水ポンプまでもが洗浄槽に対して接近・離反可能であることが好ましい。
【０００９】
本発明の食器洗浄機は、下記のように定義することもできる。即ち、前面が開放されている箱状の洗浄機本体と、この洗浄機本体内に収容された収容位置と引出された引出位置との間でスライド可能であるとともに上部が開口している洗浄槽と、洗浄槽内の水を循環させるとともに洗浄機本体からの距離と洗浄槽からの距離の両者が伸縮可能な状態に洗浄機本体または洗浄槽によって支持されている洗浄ポンプと、洗浄槽と洗浄ポンプを離反させておく弾性体とを備えており、収容位置では洗浄槽背面に洗浄ポンプが接近し、引出位置では洗浄槽背面から洗浄ポンプが離反するというものである。
本発明の引出式食器洗浄機は、洗浄機本体からの距離と洗浄槽からの距離の両者が伸縮可能な状態に洗浄機本体または洗浄槽によって支持されている洗浄ポンプと、洗浄槽と洗浄ポンプを離反させておく弾性体を備えている。洗浄機本体と洗浄ポンプ間の距離と洗浄槽と洗浄ポンプ間の距離の両者が伸縮可能であるために、収容位置では弾性体が圧縮されて洗浄槽背面に洗浄ポンプが接近し、引出位置では弾性体の反発力によって洗浄槽背面から洗浄ポンプが離反することによって、収容位置では大型の洗浄槽を収容でき、引出位置では洗浄ポンプの重心位置が本体側ローラよりも後方に留まっているという制約のなかで大型の洗浄槽を洗浄機本体から充分に引出すことが可能となる。
【００１０】
特に、洗浄機本体には本体側レールが固定され、洗浄槽は本体側レールによって案内され、本体側レールの前端部にはローラが回転自在に固定されており、洗浄ポンプは洗浄槽によって支持されており、引出位置における洗浄ポンプの重心がローラよりも後方に留まることが好ましい。
【００１１】
【発明の実施の形態】
上述した各請求項に記載の食器洗浄機は、下記に示す形態で好適に実施することができる。
（形態１）
洗浄槽と洗浄ポンプの間に両者を離反させる弾性体を備えることが好ましい。この弾性体を用いると、引出位置では弾性体の反発力で洗浄槽と洗浄ポンプは離反し、収容位置では洗浄機本体の背面板によって弾性体が圧縮されて洗浄槽と洗浄ポンプは接近する。
【００１２】
【実施例】
（第１実施例）  本発明の第１実施例に係る食器洗浄機について、図３〜図９を参照して説明する。なお、洗浄方法、送風、排水等の機構については、従来の食器洗浄機と特に変わるところはないので、ここでの説明は省略する。
図３は、洗浄槽が引出位置におかれた食器洗浄機の斜視図である。図４は、洗浄槽が収納位置におかれた食器洗浄機の概略側面図（洗浄機本体の側板を取外して図示している）である。図５は、洗浄槽が引出位置におかれた食器洗浄機の概略側面図である。図６は、図４のVI−VI線概略縦断面図である。図７は、食器洗浄機の概略背面図（洗浄機本体の奥板を取外して図示している）である。図８は、レールとローラ部分の拡大図である。
【００１３】
まず、食器洗浄機１５の全体構成について説明する。図３に示されているように、食器洗浄機１５の洗浄機本体１０は前方が開放された外箱状でおり、ここに洗浄槽８が収容される。なお、以下の説明において、前方とは洗浄槽８を引出す方向であり、後方とは洗浄槽８を収納する方向である。洗浄槽８は、前面に取っ手１６aが形成された扉１６を有し、上部が開放された箱状に形成されており、食器洗浄機１５の使用者は、この上部開放部から食器５を出し入れする。
洗浄機本体１０の両側板の内側には、図６〜図８に示されるように、レール固定板６９が前後に長く固定されている。レール固定板６９には、断面コの字形状の本体側レール４が前後に長く固定されている。この本体側レール４の前端部には、本体側ローラ３が回転軸３aによって回転自由に装着されている。また、洗浄機本体１０の後方側下部には樹脂でできたストッパ３５が固定されている（図５参照）。
図６〜図８に示されるように、洗浄槽８の両側板の外側に、断面L字形状の洗浄槽側レール７が前後に長く固定されている。洗浄槽側レール７は、洗浄槽８を越えて後方に突出している（図４参照）。洗浄槽側レール７後端部には、洗浄槽側ローラ６が回転軸６aによって回転自由に装着されている（図７参照）。
洗浄槽側レール７と洗浄槽側ローラ６は、図6と図７に示されるように、本体側レール４に差し込まれている。したがって、洗浄槽８は、本体側レール４に案内されて、図４に示される収納位置と図５に示される引出位置との間でスライド可能である。
洗浄槽８の背面中央部には、円筒形状の突出部材３０の一端が水平に固定されている。突出部材３０の他端には、突出部材３０よりもその外径が小さい円筒形状のシャフト３１の一端が固定されている。シャフト３１は、ポンプ上部１１aに設けられた口径がシャフト３１の外径より大きい孔部を貫通している。この構成により、シャフト３１はポンプ１１をスライド自在に保持している。ポンプ１１は、シャフト３１に沿って前後に移動可能である。また、シャフト３１には、突出部材３０とポンプ上部１１aとの間に、シャフト３１より長い自由長を持つ圧縮コイルバネ３２が嵌め込まれている。この圧縮コイルバネ３２は、コイル直径が突出部材３０の外径より小さく、ポンプ上部１１ａの孔部の口径より大きい。図４と図５より明らかなように、圧縮コイルバネ３２は、自由長よりも短く圧縮された状態でシャフト３１に嵌め込まれている。したがって、圧縮コイルバネ３２は、ポンプ１１を洗浄槽8から離反させる側に付勢している。シャフト３１の他端であるシャフト頭３１aは、その外径がポンプ上部１１aの孔部より大きくなっている。これにより、圧縮コイルバネ３２の弾性力でポンプ１１が後方に移動し、シャフト３１から外れることが防止されている。
【００１４】
ポンプ１１は、大径の円柱形状の上に小径の円柱形状が組合わされた形状を結うし、ポンプ上部１１aはシャフト頭３１aの外径よりやや大きい半円柱形状である。ポンプ１１は、上部１１aがシャフト３１に保持されており、洗浄機本体１０の床には接していない（図５と図７参照）。
ポンプ１１の吐出口には、吐出配管１２の一部である伸縮自在の吐出ジャバラ１２aが接続されている。吐出配管１２の他端は洗浄槽８下部の吐出連結部１２bに連結されている。ポンプ１１と洗浄槽８は吐出配管１２によって連通している。また、ポンプ１１の吸入口には、吸込配管１３の一部である伸縮自在の吸込ジャバラ１３aが配設されている。吸込配管１３の他端は洗浄槽底部８aに連結されており、吸込配管１３によってポンプ１１と洗浄槽８は連通している。
ポンプ１１は食器洗浄機１５の洗浄能力を損なわない範囲で可能な限り小さく設計されている。さらに、洗浄槽８の背面形状は、洗浄槽8が洗浄機本体１０に収納された状態で、ポンプ１１と洗浄槽８ができるだけ近接できるように設計されている（図４参照）。洗浄槽８の背面にはポンプ１１の外形形状を受入れる凹部が設けられている。
【００１５】
また、洗浄槽８と洗浄機本体１０の間には、洗浄槽８を収容位置に固定しておくロック機構（図示省略）が備えられている。このロック機構を備えることによって、収納位置におかれた洗浄槽８が圧縮コイルバネ３２の弾性力やポンプ１１の振動等により引き出されることを防止している。食器洗浄機１５の使用者は、ロック機構によるロック状態を解除し、洗浄槽８を引き出す。
【００１６】
以上、食器洗浄機１５の構成について説明した。次は、洗浄槽８が収容位置から引出位置に移動する過程における洗浄槽８及びポンプ１１の移動態様について図４、図５を参照しながら説明する。
図５に示すように、洗浄槽８が引出位置にあるときには、ポンプ１１は圧縮コイルバネ３２に付勢されて洗浄槽８の背面から離反している。この状態から洗浄槽８が洗浄機本体１０内に押込まれると、ポンプ１１の背面がストッパ３５に当接してそれ以上には後方にスライドすることができなくなる。しかしながら、圧縮コイルバネ３２が縮むために洗浄槽８はさらに後方に移動することができる。図４が収容位置でのポンプ１１と洗浄槽８の位置関係を示し、圧縮コイルバネ３２が縮んで洗浄槽８の背面とポンプ１１は接近している。接触していてもかまわない。このとき、シャフト３１は、ポンプ上部１１aより後方に突出している。また、吐出通路１２及び吸込通路１３における各ジャバラ１２a，１３aは縮んでいる。
ポンプ１１が洗浄槽８に固定されていると、ポンプ１１の背面がストッパ３５に当接したときに洗浄槽８がそれ以上には後方にスライドすることができなくなる。従って、この位置関係で洗浄槽８が洗浄機本体１０内に収容される大きさにしておかなければならない。本実施例では、ポンプ１１が洗浄槽８から接近・離反可能であるために、ポンプ１１の背面がストッパ３５に当接したとき以降も洗浄槽８が後方にスライドすることができ、その分だけ大きな洗浄槽８を用いることができる。
食器洗浄機１５の使用者が洗浄槽８を収納位置にロックするロック状態を解除し、取っ手１６aを前方に引くと、洗浄槽８は引出される。洗浄槽８が収納位置から引き出される最初の過程では、ポンプ１１には圧縮コイルバネ３２の弾性力が加えられているためにストッパ３５に接触した状態が維持されている。すなわち、最初の過程では、洗浄槽８のみが引き出される（この間、洗浄槽８とポンプ１１が離れていく）。また、この過程では吐出ジャバラ１２aと吸込ジャバラ１３aが伸びる。
洗浄槽８が所定距離前方に移動すると、シャフト頭３１aがポンプ上部１１aに接触する。そのために、洗浄槽８とポンプ１１はそれ以上には離反できず、洗浄槽８がさらに前方へ移動すると、ポンプ１１はシャフト頭３１aに支持されながら洗浄槽８とともに前方に移動する。そして、洗浄槽８とポンプ１１は、圧縮コイルバネ３２の弾性力により離反した状態を維持して引出位置まで移動する（図５参照）。このとき、ポンプ１１の重心は本体側ローラ３より後方に位置している。ポンプ１１の重量は本体側ローラ３の回りの時計回転方向モーメントとなり、洗浄槽８の重量による反時計回転方向のモーメントを相殺する。洗浄槽８とポンプ１１は大きく離反しているために、ポンプ１１の重心が本体側ローラ３よりも後方に留まっていながらも、洗浄槽８の大部分が洗浄機本体１０から引出される。
【００１７】
次に、洗浄槽８が引出位置から収容位置に移動する過程における洗浄槽８とポンプ１１の移動態様について説明する。
洗浄槽８が引出位置から収納位置に移動される場合、圧縮コイルバネ３２の後ろ方向への弾性力によって洗浄槽８とポンプ１１は離反した状態を維持しながら後方に移動する。洗浄槽８が後方に一定距離移動すると、ポンプ１１の下部がストッパ３５に接触する。このため、これ以上にはポンプ１１は移動できない。これ以降の過程では洗浄槽８のみが後方に移動する（洗浄槽８とポンプ１１が接近する）。この過程では、吐出ジャバラ１２aと吸込ジャバラ１３aは縮む。そして、洗浄槽８は先述した収納位置に収まる。
【００１８】
以上、第１実施例に係る食器洗浄機１５の構成、洗浄槽８とポンプ１１の移動態様について詳細に説明した。
第１実施例に係る食器洗浄機１５によると、洗浄槽８が収納位置におかれた場合は洗浄槽８とポンプ１１が接近（接触するまで接近しても良い）している。このため、洗浄槽８が収納位置にある場合には、ポンプと洗浄槽の間に余分なスペースできない。したがって、洗浄機本体１０を大型化する必要がなく、あるいは、洗浄槽８を小型化する必要がない。
また、洗浄槽８が引出位置におかれた場合には洗浄槽８とポンプ１１が離反する。このため、ポンプ１１の重心を本体側ローラ３よりも後方に留めながら、洗浄槽８を大きく引出すことが可能である。
【００１９】
（第２実施例）次に、第２実施例に係る食器洗浄機について図９〜図１２を参照して説明する。なお、洗浄機本体、レール、ローラ等の構成は第１実施例と同様であるため重複説明を省略し、第１実施例と異なる部分のみ説明する。図９は、洗浄槽と洗浄槽レールとポンプとそれに関連する構造の概略平面図である。図１０は、食器洗浄機の概略背面図である。図１１は、洗浄槽が収納位置におかれた場合の概略側面図である。図１２は、洗浄槽が引出位置におかれた場合の概略側面図である。
【００２０】
まず、洗浄槽８、ポンプ１１の構成について説明する。図９に示したように、左右一対の洗浄槽レール７は洗浄槽８の左右両側板の外面に前後方向に固定され、洗浄槽８の背面よりもさらに後方に伸びており、この延長部において、板状体４０が左右一対の洗浄槽レール７に跨って固定されている。板状体４０の中央部には、楕円形の孔部４０aが設けられている。板状体孔部４０aには、半円筒状であってその外径が板状体孔部４０aの短径よりも小さいポンプ４５の上部が挿通されている。ポンプ４５は外径が板状体孔部４０aの長径よりも大きい円形のフランジ４５aを備え（図１０参照）、この構成によりポンプ４５は板状体４０に対して前後方向に移動可能に保持されている。ポンプ４５は、板状体孔部４０aに案内されて板状体孔部４０aの前端部と後端部間を前後方向に移動可能となっている。ポンプ４５上部には、コの字形のバネ受け部材４４が固定されている。洗浄槽８にも、同形のバネ受け部材４３が取り付けられている。それらバネ受け部材４３と部材４４間には、図９に示す圧縮コイルバネ４１が圧縮状態で嵌め込まれている。圧縮コイルバネ４１は、洗浄槽８とポンプ４５を離反される。
【００２１】
次に、洗浄槽８のスライド過程における洗浄槽８とポンプ４５の接近・離反の態様について説明する。
洗浄槽８が収納位置にある場合（図１１）、ポンプ４５の下部は洗浄機本体１０に配設されたストッパ３５に接触している。このとき、ポンプ４５は、板状体孔部４０aの前端部に位置して、洗浄槽８に接近している。吐出通路１２及び吸込通路１３におけるそれぞれのジャバラ１２a，１３aは縮んでいる。
洗浄槽８を収納位置から引出位置へ移動させる最初の段階では、ポンプ４５は圧縮コイルバネ４１によってストッパ３５に接触した状態が維持される。この最初の過程では、洗浄槽８のみが引き出さる（洗浄槽８とポンプ４５が離反する）。洗浄槽レール７に固定された板状体４０が前方移動することによって、ポンプ４５は板状体孔部４０aの先端部から後端部方向に位置していく。また、この過程で、吐出ジャバラ１２aと吸込ジャバラ１３aが伸びる。
洗浄槽８が所定距離前方に移動すると、ポンプ４５が板状体孔部４０aの後端部に接触する。ここからさらに洗浄槽８を前方へ移動させると、ポンプ４５は板状体４０に支持されながら洗浄槽８と一緒に前方に移動する。そして、洗浄槽８とポンプ４５は、圧縮コイルバネ４１の弾性力によって離反した位置関係を維持しながら引出位置まで移動する（図１２参照）。このとき、ポンプ４５の重心は本体側ローラ３より後方に位置している。そして、洗浄槽８の大部分が洗浄機本体１０の外部に露出した状態となっている。
【００２２】
洗浄槽８が引出位置から収納位置に移動される場合、圧縮コイルバネ４１の後ろ方向への弾性力により、洗浄槽８とポンプ４５は一定の距離を保ちながら後方に移動する。この過程では、ポンプ４５は板状体孔部４０aの後端部に位置している。洗浄槽８が後方に一定距離移動されると、ポンプ４５の下部がストッパ３５に接触する。このため、これ以上はポンプ４５は移動しない。ここからの過程では洗浄槽８のみが後方に移動する（洗浄槽８とポンプ４５が近づいていく）。すなわち、この過程では、洗浄槽レール７に固定された板状体４０が後方に移動することによって、ポンプ４５は板状体孔部４０aの後端部から先端部へと位置していく。また、この過程では、吐出ジャバラ１２aと吸込ジャバラ１３aが縮む。そして、大型の洗浄槽８は先述した収納位置に収まる。
【００２３】
以上、第２実施例に係る食器洗浄機１５の構成と、洗浄槽８とポンプ４５の移動態様について説明した。
第２実施例に係る食器洗浄機１５によると、洗浄槽８が収納位置におかれた場合には洗浄槽８とポンプ４５が近接している。また、洗浄槽８が引出位置におかれた場合には、洗浄槽８とポンプ４５が離れて位置している。さらには、食器洗浄機１５は、洗浄槽８を引出す方向に弾性力を加える圧縮コイルバネ４１を備えている。したがって、第２実施例に係る食器洗浄機１５においても第１実施例に係る食器洗浄機と同様の効果が得られる。
【００２４】
（第３実施例）次に、第３実施例に係る食器洗浄機について図１３、図１４を参照して説明する。第３実施例に係る食器洗浄機は、上述した第１、第２実施例とほぼ同様の構成を有する。ただし、第２実施例に係る食器洗浄機１５では、ポンプ４５が板状体孔部４０aを前後に移動可能であったが、第３実施例では洗浄槽レール７に孔部を設け、板状体４０が洗浄槽レール７上を前後に移動可能である点で異なる。以下、第１、第２実施例と異なる点のみ説明する。図１３は、洗浄槽と洗浄槽レールとポンプとそれに関連する要素の概略平面図である。図１４は、図１３のＸＩＶ―ＸＩＶ線概略縦断面図である。
【００２５】
図１３に示されるように、第３実施例に係る板状体４０中央部には半円柱状の孔部が設けられ、ポンプ４５が差し込まれている。板状体４０の孔部とポンプ４５の径はほぼ同じであり、ポンプ４５は、板状体４０に対して移動することはできない。洗浄槽レール７には長孔状の孔部７aが各レールについて２箇所づつ設けられている。洗浄槽レールの長孔状の孔部７aには、図１４に示す断面形状を有するとともに板状体４０に固定された部材４９が嵌め込まれている。したがって、板状体４０及び板状体４０に固定されたポンプ４５は、洗浄槽レールの長孔状の孔部７aに案内されて洗浄槽レール７上を前後にスライド可能である。
【００２６】
以上の構成を有する第３実施例に係る食器洗浄機１５の場合、ポンプ４５が固定された板状体４０が洗浄槽８に対して前後方向へスライドする。したがって、洗浄槽８が収納位置におかれた場合は洗浄槽８とポンプ４５を近接させ、引出位置におかれた場合は洗浄槽８とポンプ４５を離して位置させることができる。したがって、第２実施例と同様の効果を得ることができる。
【００２７】
（第４実施例）  次に、第４実施例に係る食器洗浄機について図１５〜図１７を参照して説明する。なお、第４実施例においては、上記各実施例と異なる部分のみを説明する。図１５は、食器洗浄機の概略背面図である。図１６は、洗浄槽が収納位置におかれた場合の概略側面図である。図１７は、洗浄槽が引出位置におかれた場合の概略側面図である。
【００２８】
まず、第４実施例に係る食器洗浄機１５の構成について説明する。図１５に示されるように、本体側レール４を洗浄機本体１０に固定しているレール固定板６９の上部に断面コの字形状のポンプ誘導用本体側レール６０が前後に伸びて固定されている。ポンプ誘導レール６０には、図１５に示す断面形状を有する板状体６２に回転自由に装着されたポンプ誘導ローラ６３が差し込まれている。ポンプ誘導ローラ６３は、板状体６２の前後に２個ずつ装着されている。板状体６２は、その中央部に略円形状の孔部を有し、そこにポンプ６６が固定されている。したがって、ポンプ６６は、板状体６２がポンプ誘導レール６０に案内されることによって前後に移動可能となっている。この構成では、洗浄槽８を保持する支点は本体側ローラ３であり、ポンプ６６の重量を保持するのは、ポンプ誘導ローラ６３である。ポンプ６６下部には、上述した第１実施例と同様に、吐出ジャバラ１２aと吸込ジャバラ１３aによって吐出配管１２と吸込配管１３が取り付けられている。ただし、第４実施例に係る各ジャバラ１２a，１３aの弾性力は、第１実施例の場合よりも大きい。洗浄槽８が収納位置におかれる場合では、各ジャバラ１２a、１３aは収縮状態にある。よって、各ジャバラ１２a、１３aはポンプ６６下部に後方向の弾性力を加えている。そして、各ジャバラ１２a、１３aは、それぞれの配管１２，１３を介して洗浄槽８に前方向の弾性力を加えている。各ジャバラ１２a、１３aは、洗浄槽８とポンプ６６を離反させるバネとしても機能する。
【００２９】
第４実施例に係る食器洗浄機１５の構成について説明した。次は、洗浄槽８のスライド過程における洗浄槽８とポンプ６６の移動態様について説明する。
図１６に示されるように、洗浄槽８が収納位置におかれた場合は、洗浄槽８とポンプ６６は近接している。洗浄槽８が引出される最初の過程では、各ジャバラ１２a，１３aによる弾性力のため、ポンプ６６はストッパ３５に接触した状態が維持されている。したがって、この最初の過程では、洗浄槽８のみが前方に引き出される（洗浄槽８とポンプ６６が離れていく）。洗浄槽８がさらに引出れるに従い各ジャバラ１２a，１３aの弾性力が弱くなり、ポンプ６６は各ジャバラ１２a、１３aに引張られて前方に移動する。そして、洗浄槽８とポンプ６６は、一定の間隔を維持しながら図１７に示す引出位置まで移動する。
洗浄槽８を引出位置から収納位置に移動させる最初の過程では、各ジャバラ１２a，１３aが伸びた状態で、洗浄槽８とポンプ６６は後方に移動する。すなわち、洗浄槽８とポンプ６６は、一定の間隔を維持しながら後方に移動する。そして、洗浄槽８とポンプ６６が所定距離移動すると、ポンプ６６の下部がストッパ３５に接触する。ポンプ６６はこれより後方に移動することはできない。この状態からは、洗浄槽８のみが後方に移動する（洗浄槽８とポンプ６６が近づく）。この過程では、各ジャバラが洗浄槽８の後方移動に伴い縮む。そして、洗浄槽８は上述した収納位置に収納する。
【００３０】
以上、第４実施例に係る食器洗浄機１５の構成と、洗浄槽８とポンプ６６の移動態様について説明した。本実施例に係る食器洗浄機１５は、洗浄槽８が本体側ローラ３を支点として保持され、ポンプ６６は、ポンプ誘導ローラ６３によって保持されている。洗浄槽重量とポンプ重量は、同一支点で保持されていないので、１つの部材に過大な負荷がかかることがなく、より耐久性の高い食器洗浄機１５を提供することができる。
また、弾性力の大きい各ジャバラ１２a、１３aを利用することによって、バネを不要化している。
第４実施例の場合にも、洗浄槽８が収納位置におかれた場合は、洗浄槽８とポンプ６６が近接するために大型の洗浄槽が利用できる。また、引出位置におかれた場合は、洗浄槽８とポンプ６６は離反するために、ポンプ６６の重心位置を本体側ローラ３よりも後方に留めおきながら、洗浄槽８を洗浄機本体１０から大きく引出すことができる。
以上の実施例では、ポンプ誘導ローラ６３が専用のレール６０に案内されるようにしているが、これに代えて、ポンプ誘導ローラ６３もまた洗浄槽を案内する固定側レール４に沿って案内されるようにしても良い。洗浄機本体に固定された本体側レールに対して、洗浄槽に固定された洗浄槽側レールと、洗浄ポンプ側に設けられたポンプ誘導ローラ６３が、相互に独立して本体側レールに案内されるようにしても良い。
【００３１】
（第５実施例）  次に、第５実施例に係る食器洗浄機について図１８〜図２０を参照して説明する。図１８は、食器洗浄機の概略背面図である。図１９は、洗浄槽が収納位置におかれた場合の概略側面図である。図２０は、洗浄槽が引出位置におかれた場合の概略側面図である。
第５実施例に係る食器洗浄機１５の構成は、上述した第４実施例とほぼ同様である。ただし、ポンプ誘導レール６０を洗浄機本体１０の床部に固定した点で異なる。以下、第４実施例と異なる部分に関連することのみ説明する。
【００３２】
図１８に示されるように、洗浄機本体１０の床部には、ポンプ誘導レール６０が前後に伸びて固定されている。ポンプ誘導レール６０には、図１８の断面形状を有するポンプ台７０に回転軸７３aを回転自由に固定されたポンプ誘導ローラ７３が差し込まれている。ポンプ誘導ローラ７３は、ポンプ台７０に前後２個づつ装着されている。ポンプ台７０には、ポンプ７７の底部が固定されている。したがって、ポンプ台７０に固定されたポンプ７７は、ポンプ誘導レール６０に案内されることによって前後に移動可能である。そして、洗浄槽８及びポンプ７７は第４実施例と同様の移動態様で収納位置と引出位置を移動可能である（図１９、図２０参照）。
【００３３】
第５実施例に係る食器洗浄機１５では、ポンプ７７はポンプ誘導ローラ７３によってその重量が保持されている。このため、本体側ローラ３にはポンプ７７の重量がかからない。したがって、第４実施例と同様の効果が得られる。
また、洗浄槽８が収納位置におかれた場合は、洗浄槽８とポンプ７７が近接している。洗浄槽８が引出位置におかれた場合は、収納位置におかれた場合よりも洗浄槽８とポンプ７７が離れている。したがって、第１実施例と同様の効果をも得られる。
【００３４】
上記には、もっぱら洗浄ポンプと洗浄槽の関係について説明した。本実施例の技術は、排水ポンプと洗浄槽の間でも活用できる。洗浄槽と洗浄ポンプ間距離のみならず、洗浄槽と排水ポンプ間距離が伸縮可能であり、収容位置では洗浄槽背面に洗浄ポンプと排水ポンプが接近し、引出位置では洗浄槽背面から洗浄ポンプと排水ポンプが離反することが好ましい。
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
例えば、第４、第５実施例に係る食器洗浄機では、洗浄槽背面中央部とポンプ上部との間に紐を備え、洗浄槽とポンプが所定の間隔以上離れないようにすることが好ましい。このような形態によると、洗浄槽を引き出す際に吐出配管及び吸い込み配管に大きなテンションがかかることを防止することができる。
また、本明細書または図面に説明した技術要素は、単独であるいは各種の組み合わせによって技術的有用性を発揮するものであり、出願時請求項記載の組み合わせに限定されるものではない。本明細書または図面に例示した技術は複数目的を同時に達成するものであり、そのうちの一つの目的を達成すること自体で技術的有用性を持つものである。
【図面の簡単な説明】
【図１】収納位置におかれた従来技術に係る食器洗浄機の概略側面図。
【図２】引出位置におかれた従来技術に係る食器洗浄機の概略側面図。
【図３】引出位置におかれた第１実施例に係る食器洗浄機の斜視図。
【図４】収納位置におかれた第１実施例に係る食器洗浄機の概略側面図。
【図５】引出位置におかれた第１実施例に係る食器洗浄機の概略側面図。
【図６】図４のＶＩ−ＶＩ線概略縦断面図。
【図７】第１実施例に係る食器洗浄機の概略背面図。
【図８】第１実施例に係るレール及びローラ部分の拡大図。
【図９】第２実施例に係る食器洗浄機の洗浄槽と洗浄槽レールとポンプとそれに関連する要素の概略平面図。
【図１０】第２実施例に係る食器洗浄機の概略背面図。
【図１１】収納位置におかれた第２実施例に係る食器洗浄機の概略側面図。
【図１２】引出位置におかれた第２実施例に係る食器洗浄機の概略側面図。
【図１３】第３実施例に係る食器洗浄機の洗浄槽と洗浄槽レールとポンプとそれに関連する要素の概略平面図。
【図１４】図１３のＸＩＶ―ＸＩＶ線概略縦断面図。
【図１５】第４実施例に係る食器洗浄機の概略背面図。
【図１６】収納位置におかれた第４実施例に係る食器洗浄機の概略側面図。
【図１７】引出位置におかれた第４実施例に係る食器洗浄機の概略側面図。
【図１８】第５実施例に係る食器洗浄機の概略背面図。
【図１９】収納位置におかれた第５実施例に係る食器洗浄機の概略側面図。
【図２０】引出位置におかれた第５実施例に係る食器洗浄機の概略側面図。
【符号の説明】
８  ・・洗浄槽
１０・・洗浄機本体
１１・・洗浄ポンプ
【図１】
0003795349.tif 000002
【図２】
0003795349.tif 000003
【図３】
0003795349.tif 000004
【図４】
0003795349.tif 000005
【図５】
0003795349.tif 000006
【図６】
0003795349.tif 000007
【図７】
0003795349.tif 000008
【図８】
0003795349.tif 000009
【図９】
0003795349.tif 000010
【図１０】
0003795349.tif 000011
【図１１】
0003795349.tif 000012
【図１２】
0003795349.tif 000013
【図１３】
0003795349.tif 000014
【図１４】
0003795349.tif 000015
【図１５】
0003795349.tif 000016
【図１６】
0003795349.tif 000017
【図１７】
0003795349.tif 000018
【図１８】
0003795349.tif 000019
【図１９】
0003795349.tif 000020
【図２０】
0003795349.tif 000021